(57)【特許請求の範囲】
【請求項１】
被写体像を撮像し、画像信号として出力する撮像手段と、
前記画像信号を記録する記録手段と、
前記被写体像の撮影日時を取得する時計と、
基点日時を設定する基点日時設定手段と、
前記基点日時から前記撮影日時までの経過時間を算出する算出手段と、
前記画像信号を前記記録手段に記録する際のファイル名を、前記経過時間に基づいて設定するファイル名設定手段と、
を有することを特徴とする電子カメラ。
【請求項２】
前記経過時間を任意の時間単位に換算する換算手段を更に有し、
前記ファイル名設定手段は、前記換算手段によって換算された前記経過時間に基づいて前記ファイル名を設定することを特徴とする請求項１に記載の電子カメラ。
【請求項３】
前記ファイル名及び前記基点日時及び前記撮影日時を記録するファイル名記録手段を更に有することを特徴とする請求項１に記載の電子カメラ。
【請求項４】
前記画像信号の名称を入力する入力手段を更に有し、
前記ファイル名設定手段は、前記名称と前記経過時間とに基づいて前記ファイル名を設定することを特徴とする請求項１に記載の電子カメラ。
【請求項５】
前記基点日時設定手段は、前記名称が同一の画像信号の撮影日時を前記基点日時として設定することを特徴とする請求項４に記載の電子カメラ。
【請求項６】
前記基点日時設定手段は、前記名称が同一でかつ撮影順が最先の前記画像信号の撮影日時を前記基点日時として設定することを特徴とする請求項４に記載の電子カメラ。
【請求項７】
前記ファイル名及び前記基点日時及び前記撮影日時及び前記名称を記録するファイル名記録手段を有することを特徴とする請求項４に記載の電子カメラ。
【請求項８】
前記基点日時は変更可能であり、
前記算出手段は、前記基点日時が変更されると、変更された前記基点日時に基づいて前記経過時間を再演算し、
前記ファイル名設定手段は、再演算された前記経過時間に基づいて前記記録手段に記録された前記画像信号の前記ファイル名を変更することを特徴とする請求項１に記載の電子カメラ。
【請求項９】
前記基点日時設定手段は、任意の日時を前記基点日時として設定可能であることを特徴とする請求項１に記載の電子カメラ。
【発明の詳細な説明】
【０００１】
【発明の属する技術分野】
本発明は、撮影された被写体の画像信号を記録媒体に記録する電子カメラに関し、特に画像信号を記録する際のファイル管理に関する。
【０００２】
【従来の技術】
従来の電子カメラは、撮像光学系と光電変換素子等からなる撮像手段で被写体を撮像し、画像信号に変換して出力する。そして、撮像手段から出力された被写体像の画像信号を、メモリカード等の記録媒体に保存していた。
【０００３】
【発明が解決しようとする課題】
しかし、従来の電子カメラにおいては、撮影された被写体像を画像ファイルとして記録媒体に記録する際のファイル名が、電子カメラ内で自動的に決定され、またファイル名は撮影枚数や任意の通し番号の情報しか含んでいなかった。そのため、使用者が記録された画像を再生したり、画像ファイルの整理を行う際に、ファイル名から個々の画像ファイルの特定を行うことが非常に困難であるという問題があった。
【０００４】
上記問題点を解決するために、本発明においては、画像信号を記録する際のファイル名を基点の日時から被写体を撮影した時点の撮影日時までの経過時間に基づいて作成し、さらには使用者が入力した画像信号の名称もファイル名に加味するようにした。
【０００５】
【課題を解決するための手段】
上記問題点を解決するために、請求項１の発明は、電子カメラにおいて、被写体像を撮像し、画像信号として出力する撮像手段と、画像信号を記録する記録手段と、被写体像の撮影日時を取得する時計と、基点日時を設定する基点日時設定手段と、基点日時から撮影日時までの経過時間を算出する算出手段と、画像信号を記録手段に記録する際のファイル名を、経過時間に基づいて設定するファイル名設定手段とを有することを特徴とする。
【０００６】
また、請求項２の発明は、請求項１に記載の電子カメラにおいて、経過時間を任意の時間単位に換算する換算手段を更に有し、ファイル名設定手段は、換算手段によって換算された経過時間に基づいてファイル名を設定することを特徴とする。
また、請求項３の発明は、請求項１に記載の電子カメラにおいて、基点日時及び撮影日時を記録するファイル名記録手段を有することを特徴とする。
【０００７】
また、請求項４の発明は、請求項１に記載の電子カメラにおいて、画像信号の名称を入力する入力手段を更に有し、ファイル名設定手段は、名称と経過時間とに基づいてファイル名を設定することを特徴とする。
また、請求項５の発明は、請求項４に記載の電子カメラにおいて、基点日時設定手段は、名称が同一の画像信号の撮影日時を基点日時として設定することを特徴とする。
【０００８】
また、請求項６の発明は、請求項４に記載の電子カメラにおいて、基点日時設定手段は、名称が同一でかつ撮影順が最先の画像信号の撮影日時を基点日時として設定することを特徴とする。
また、請求項７の発明は、請求項４に記載の電子カメラにおいて、基点日時と撮影日時及び名称を記録するファイル名記録手段を有することを特徴とする。
【０００９】
また、請求項８の発明は、請求項１に記載の電子カメラにおいて、基点日時は変更可能であり、算出手段は、基点日時が変更されると、変更された基点日時に基づいて経過時間を再演算し、ファイル名設定手段は、再演算された経過時間に基づいて記録手段に記録された画像信号のファイル名を変更することを特徴とする。
【００１０】
また、請求項９の発明は、請求項１に記載の電子カメラにおいて、基点日時設定手段は、任意の日時を基点日時として設定可能であることを特徴とする。
【００１１】
【発明の実施の形態】
本発明の第１実施形態について、図１から図７を用いて説明する。
図１は第１実施形態の電子カメラの構成を示すブロック図である。
図２は第１実施形態の電子カメラを背面から見た外観図である。
図３は第１実施形態の電子カメラにおける制御手順を示すフローチャート図である。
【００１２】
図４は第１実施形態の電子カメラの表示手段におけるファイル名称選択の表示例を示す説明図である。
図５は第１実施形態の電子カメラの表示手段における時間単位選択の表示例を示す説明図である。
図６は第１実施形態の電子カメラにおいて作成されるファイル名の一例を示す図である。
【００１３】
図７は第１実施形態の電子カメラにおいて複数枚の撮影を行った場合のファイル名作成例を示す図である。
まず、第１実施形態における電子カメラの構成について図１及び図２を用いて説明する。
図１に示すように、第１実施形態の電子カメラ１００は、撮像光学系１と、ＣＣＤ２と、画像処理回路３と、メモリ４と、液晶ディスプレイ５と、時計６と、入力手段７と、ＣＰＵ８レリーズボタン９及びカメラ本体１１とから構成される。
【００１４】
撮像光学系１は、被写体像を後述するＣＣＤ２上に結像させるための光学系である。撮像光学系１は、図２中に点線で示すように、カメラ本体１１の前面に設けられている。
ＣＣＤ２は、撮像した被写体像を光電変換して画像信号に変換する光電変換素子である。ＣＣＤ２において撮像された被写体像は、画像信号に変換されて画像処理回路３に出力される。
【００１５】
画像処理回路３は、ＣＣＤ２から出力された画像信号に対してガンマ補正やホワイトバランス調整等の画像処理を施すための回路である。画像処理回路３はＣＰＵ８によって画像処理動作が制御される。画像処理が施された画像信号はメモリ４及び液晶ディスプレイ５に出力される。
メモリ４は、被写体像の画像信号を記録する。メモリ４の例としては、ハードディスク、フロッピーディスク、半導体メモリやメモリカード等が挙げられる。メモリ４は画像信号を画像ファイルとして記録する。またメモリ４は、画像信号のファイル名と後述する基点日時及び撮影日時及び時間単位設定を記録する。尚、メモリ４については、カメラ本体１１内に内蔵してもよいし、カメラ本体１１に対して着脱可能な構成であってもよい。
【００１６】
液晶ディスプレイ５は、ＣＣＤ２によって撮像された画像信号及び、メモリ４に記録された画像ファイルを表示する。また液晶ディスプレイ５は、画像ファイルの整理等の作業を行う際のメニュー画面を表示する。液晶ディスプレイ５は図２に示すように、カメラ本体１１の背面に設けられている。
時計６は、撮影時の時刻情報を取得する時計としての機能と、日付情報を取得するカレンダーとしての機能を有している。時計６は、被写体が撮像された時点の日付及び時刻からなる撮影日時情報をＣＰＵ８に出力する。
【００１７】
入力手段７は、画像ファイルのファイル名を作成する際のファイル名称を入力するためのものである。第１実施形態において入力手段７は、図２に示すようにカメラ本体１１に設けられたボタン７ａ，７ｂ，７ｃで構成されている。また、入力手段７は、既入力のファイル名称及び後述する経過時間を換算するための時間単位の選択手段を兼用する。第１実施形態においては、液晶ディスプレイ５に入力対象の文字を表示した上で、図２に示すボタン７ａ及び７ｂで入力対象の文字を選択し、ボタン７ｃで確定する。この動作を繰り返すことによりファイル名称を決定する。入力手段７によって入力されたファイル名称及び選択された時間単位は、後述するＣＰＵ８に出力される。
【００１８】
ＣＰＵ８は、ＣＣＤ２の撮像動作を制御する。またＣＰＵ８は、画像処理回路３の画像処理動作を制御する。またＣＰＵ８は、メモリ４の記録動作及び読み出し動作を制御する。またＣＰＵ８は、液晶ディスプレイ５における画像ファイルの表示を制御する。またＣＰＵ８は、入力手段７の入力に応じて、ファイル名の決定や液晶ディスプレイ５における選択用カーソルの表示移動を行う。またＣＰＵ８は、同一ファイル名称の一枚目の画像ファイルの撮影日時を基点日時として設定し、基点日時から現撮影の画像ファイルの撮影日時までの経過時間を演算する。また、ＣＰＵ８は、演算で求めた経過時間を使用者が任意に設定した時間単位に基づいて換算する。また、ＣＰＵ８は、ＣＰＵ８に入力されるファイル名称と設定した時間単位で換算した経過時間とに基づいて画像ファイルのファイル名を作成する。ＣＰＵ８の制御手順の詳細については、後で説明する。
【００１９】
レリーズボタン９は、ＣＣＤ２の撮影動作を開始させるためのものである。レリーズボタン９の出力はＣＰＵ８に接続されており、使用者がレリーズボタン９を押すことにより、撮影動作が開始される。レリーズボタン９は、図２に示すようにカメラ本体１１の上面に設けられている。
カメラ本体１１は、上述した撮像光学系１、ＣＣＤ２、画像処理回路３、メモリ４、液晶ディスプレイ５、時計６、入力手段７、ＣＰＵ８、レリーズスイッチ９の各構成を収納、保持するための筐体である。
【００２０】
次に、ＣＰＵ８の制御手順について図３、図４、図５及び図６を用いて説明する。
まず、ステップＳ１において、画像ファイルにつけるファイル名称を決定するための表示画面を液晶ディスプレイ５上に表示させる。ファイル名称決定画面の表示例を図４に示す。図４において、「朝顔」，「セミの脱皮」，「健太誕生」，「カレーの作り方」は既に入力されたファイル名称であり、「新規入力」は新規にファイル名称を入力するモードを示している。ファイル名称の決定は、液晶ディスプレイ５の表示画面上に既入力の全てのファイル名称及び新規入力の選択肢を表示した上で、図中に矢印で示したような選択カーソルをボタン７ａ，７ｂの入力に応じて移動させ、ボタン７ｃの入力に応じて決定する。ステップＳ１の処理が完了するとステップＳ２に進む。
【００２１】
次に、ステップＳ２において、ファイル名称が設定されたかどうかを判別する。ファイル名称が設定された場合は、ステップＳ３に進む。ファイル名称が設定されていない場合は、ステップＳ２において待機する。
次に、ステップＳ３において、撮影時の日時情報を換算するための時間単位の選択画面を液晶ディスプレイ５上に表示させる。時間単位選択画面の表示例を図５に示す。図５に示すように、時間単位の選択は、液晶ディスプレイ５の表示画面上に選択の対象となる時間単位を表示した上で、図中に矢印で示したような選択カーソルをボタン７ａ，７ｂの入力に応じて移動させ、ボタン７ｃの入力に応じて選択する。図５において、「年単位」は、ファイル名に付加する時間単位の表記を１年単位にするモードを表している。同様に、「月単位」、「週単位」、「日単位」、「時単位」、「分単位」、「秒単位」はファイル名に付加する時間単位表記をそれぞれ１ヶ月単位、１週間単位、１日単位、１時間単位、１分単位、１秒単位にするモードを表している。また、「自由設定」は、ファイル名に付加する時間単位表記を１５分単位や３日単位等の様に使用者が任意に設定できるモードを表している。また、「なし」を選択することで時間単位表記をファイル名に付加しないことも可能である。ステップＳ３の処理が完了するとステップＳ４に進む。
【００２２】
次に、ステップＳ４において、時間単位が設定されたかどうかを判別する。時間単位が設定された場合は、ステップＳ５に進む。時間単位が設定されていない場合は、ステップＳ４において待機する。
次に、ステップＳ５において、レリーズボタン９が押されて被写体の撮影が行われたかどうかを判別する。被写体の撮影が行われた場合はステップＳ６に進み、撮影が行われていない場合はステップＳ５において待機する。
【００２３】
次に、ステップＳ６において、被写体が撮影された時点の撮影日及び撮影時刻の情報を時計６より取得し記憶する。ステップＳ６の処理が完了するとステップＳ７に進む。
次に、ステップＳ７において、メモリ４の内容を検査することにより、設定されたファイル名称と同一のファイル名称で、過去に撮影された画像ファイルが存在するかどうかを判別する。判別の結果、同一ファイル名称の画像ファイルが存在する場合はステップＳ１０に進む。同一ファイル名称の画像ファイルが存在しない場合はステップＳ１５に進む。
【００２４】
ステップＳ７において同一ファイル名称の画像ファイルが存在した場合は、ステップＳ１０に進む。ステップＳ１０は、メモリ５内に存在する同一ファイル名称の画像ファイルのうち、経過時間算出の基点の日時となる最初に撮影された一枚目の画像ファイルの撮影日時情報を取得し、ステップＳ６において記憶した今回の撮影時の撮影日時情報とから、一枚目撮影時点からの経過時間を算出する。ステップＳ１０の処理が完了するとステップＳ１１に進む。
【００２５】
次に、ステップＳ１１において、ステップＳ１０で算出した経過時間を設定された時間単位で換算する。第１実施形態においては、設定した時間単位が「年単位」、「月単位」、「週単位」、「日単位」については、時計６のカレンダー機能により得られる日付情報と算出した経過時間とに基づいて経過時間の換算を行う。例えば、「年単位」の場合は、一枚目の撮影日に経過時間を加算するとカレンダーにおける年が変わる場合は、経過した年数に応じて時間単位のカウントを増加させる。同様に、「月単位」「週単位」「日単位」においても、経過時間を加算した結果カレンダーにおける月、週、日が変わる場合に、経過した月数、週数、日数に応じて時間単位のカウントを増加させる。また、設定した時間単位が「時単位」、「分単位」、「秒単位」の場合は、算出した経過時間をそのまま設定した時間単位で換算し、経過した時間数、分数、秒数に応じて時間単位のカウントを増加させる。この様にして、経過時間を設定した時間単位に換算する。ステップＳ１１の処理が完了するとステップＳ２０に進む。
【００２６】
また、ステップＳ７において同一ファイル名称の画像ファイルが存在しなかった場合は、ステップＳ１５に進む。ステップＳ１５は、今回の撮影をそのファイル名称による一枚目の撮影とみなして撮影日時情報を記憶し、時間単位は初期値である１に設定する。ステップＳ１５の処理が完了するとステップＳ２０に進む。
【００２７】
次に、ステップＳ２０において、ステップＳ２で設定したファイル名称と、ステップＳ１１及びステップＳ１５で設定された経過時間を加味した時間単位及び、整理番号と拡張子とを組合せて画像ファイルのファイル名を作成する。作成されるファイル名の例を図６に示す。図６において、「健太誕生」がステップＳ２で選択されたファイル名称の部分であり、「１週目」が経過時間をステップＳ４で選択された時間単位で換算した部分である。また、「−１」がステップＳ２０で付される整理番号の部分であり、「．ｊｐｇ」は画像ファイルの記録形式に応じてつけられる拡張子の部分である。ステップＳ２０の処理が完了するとステップＳ２１に進む。
【００２８】
次に、ステップＳ２１において、メモリ４の内容を検査することによりステップＳ２０で作成したファイル名と同一のファイル名が存在するかを判別する。判別の結果、同一ファイル名が存在する場合はステップＳ２５に進む。同一ファイル名が存在しない場合はステップＳ３０に進む。
ステップＳ２１において同一ファイル名が存在した場合はステップＳ２５に進む。ステップＳ２５は、作成したファイル名の整理番号を増加させる。ステップＳ２５の処理が完了するとステップＳ２６に進む。
【００２９】
ステップＳ２６は、整理番号を増加させたファイル名に対して再度同一ファイル名が存在するかを判別する。同一ファイル名が存在する場合はステップＳ２５に進み整理番号を増加させる処理を繰り返す。同一ファイル名が存在しない場合はステップＳ３０に進む。
ステップＳ３０は、撮影した被写体の画像信号を作成したファイル名でメモリ４に記録する。ステップＳ３０の処理が完了すると終了に進み、一連の処理を終了する。
【００３０】
この結果、第１実施形態においては、使用者がファイル名称及び時間単位を設定した上で撮影を行うと、設定したファイル名称の一枚目の撮影日時情報をメモリ４に記録し、被写体の画像信号は設定したファイル名称及び時間単位を反映したファイル名がつけられてメモリ４に記録される。そして、同一ファイル名称で２枚目以降の画像信号には、１枚目の撮影日時からの経過時間を演算し、設定された時間単位に換算されたファイル名でメモリ４に記録される。図７に本実施形態のファイル作成例を示す。図７は、ファイル名称として「朝顔」を設定し、時間単位として「日単位」を設定した場合の作成例である。図７に示すように、時間単位を日単位で設定した場合、ファイル名は１枚目の撮影日時情報を基点として、２枚目以降に撮影された画像の撮影日時情報から経過日数を演算し、日単位でファイル名に反映させた形でメモリ４に記録する。
【００３１】
尚、メモリ４に記録された画像ファイルを再生する場合は、ファイル名も同時に表示するとよい。この結果、画像ファイル再生時には、個々の画像を特定するための情報として、画像ファイル自身に加えて、撮影者が任意につけたファイル名称と撮影日時に基づく時刻単位とが表示されることになる。そのため、個々の画像ファイルを特定するための手がかりが複数表示されるため、個々の画像ファイルの特定をより容易に行うことが可能となる。
【００３２】
また、ファイル名称を設定した時点でメモリ４内にファイル名称をフォルダの名称とするフォルダを作成し、ファイル名称が同一の画像ファイルについては自動的に同一フォルダ内に記録するような構成にしてもよい。この際、フォルダ内に記録された任意の画像ファイルを、フォルダを表すサムネイル画像として使用してもよい。また、メモリ４に記録された画像ファイルに対して、ファイル名称毎の一括再生及び連続再生や、ファイル名称毎の一括削除や、ファイル名称毎にパソコンやプリンタ等の外部入力機器に一括出力を行う構成とすることも可能である。これにより、画像ファイルがファイル名称毎に管理できるため、画像ファイルの管理をより容易に行うことが可能となる。
【００３３】
また、第１実施形態においては、ファイル名称及び時間単位の設定は被写体の撮影を行う前に行っている。しかし、ファイル名称及び時間単位の設定は、経過時間の算出及びファイル名作成の前に行われていれば被写体の撮影が行われた後であっても問題はない。
また、一回の撮影毎にファイル名称及び時間単位の設定を行うと撮影の作業が煩雑なものとなる。そのため、ファイル名称及び時間単位については、一度設定されたら再設定が行われない限り同一の設定を保持する構成としてもよい。
【００３４】
また、ファイル名を作成するための設定情報であるファイル名称及び時間単位の設定及び経過時間算出の基点日時及び撮影日時は削除可能としてもよい。しかし、設定情報の削除と設定情報に基づいて作成されたファイル名が付けられた画像ファイルの削除とは連動しないようにする。これは、画像ファイルの削除に連動してファイル名作成の設定情報が削除されることにより、削除された時点以降のファイル名の作成が不可能になるのを防ぐためである。
【００３５】
尚、第１実施形態におけるＣＣＤ２は、本発明の請求項における撮像手段に対応する。
また、第１実施形態におけるメモリ４は、本発明の請求項における記録手段及び第２記録手段に対応する。
また、第１実施形態における時計６は、本発明の請求項における時計に対応する。
【００３６】
また、第１実施形態におけるＣＰＵ８は、本発明の請求項における基点日時設定手段及び算出手段及びファイル名設定手段及び換算手段に対応する。
次に、本発明の第２実施形態について図８を用いて説明する。
図８は第２実施形態における電子カメラの構成を示すブロック図である。
図８に示すように、第２実施形態の電子カメラ２００は、第１実施形態の電子カメラ１００の構成に加えて、ファイル名記憶メモリ１０を有している点が第１実施形態と異なっている。そのため、以降は第１実施形態と重複する構成については説明を省略し、第１実施形態とは異なる構成についてのみ説明する。また、外観についても、図２において示した第１実施形態における外観と同一のため、説明を省略する。
【００３７】
ファイル名記憶メモリ１０は、ＣＰＵ８によって作成されたファイル名と、ファイル名作成の基礎となったファイル名称、時間単位設定、撮影日時情報及び基点日時情報を記憶する。ファイル名記憶メモリ１０は、ＣＰＵ８によって記憶及び読み出しが制御される。尚、第２実施形態におけるメモリ４は、ファイル名記憶メモリ１０がファイル名と、ファイル名称、時間単位設定、撮影日時情報及び基点日時情報を記憶するため、画像信号とそのファイル名及び撮影日時情報を記録する。
【００３８】
これにより、ＣＰＵ８で作成されたファイル名及び撮影日時情報は、メモリ４の他にファイル名記憶メモリ８にも記憶されることになる。そのため、メモリ４がカメラ本体１１に対して着脱可能に構成されていて交換された場合、またメモリ４内の画像ファイルが削除された場合、またはメモリ４内の画像ファイルがパソコン等の外部入力機器に出力された場合等の様に、過去の画像ファイルがメモリ４内に存在しない場合でも、ファイル名及び撮影日時情報は初期化されることなく、継続してファイル名称及び時間単位設定が考慮されたファイル名の作成を行うことが可能になる。
【００３９】
尚、第２実施形態におけるファイル名記憶メモリ１０は、本発明の請求項における第２記録手段に対応する。
次に、本発明の第３実施形態について、図９及び図１０を用いて説明する。
図９は第３実施形態における電子カメラの構成を示すブロック図である。
図１０は第３実施形態における電子カメラの制御手順を示すフローチャート図である。
【００４０】
図９に示すように、第３実施形態における電子カメラ３００は、第１実施形態の電子カメラ１００の構成に加えて、基点日時設定手段１２を有している点が異なっている。
基点日時設定手段１２は、経過時間算出の基点となる基点日時を設定する。基点日時は、使用者が任意の日時を入力することにより設定される。この場合、入力の手段についてはファイル名称入力用の入力手段７を兼用すれば良い。また、過去に撮影した画像ファイルの中から基点となる画像ファイルを選択し、その画像信号の撮影日時を基点日時に設定する方法でも良い。設定された基点日時は、ＣＰＵ８に出力される。
【００４１】
次に、第３実施形態におけるＣＰＵ８の制御手順について図１０を用いて説明する。
まず、ステップＳ３０１において、レリーズボタン９が押されて被写体の撮影が行われたかどうかを判別する。被写体の撮影が行われた場合はステップＳ３０２に進み、撮影が行われていない場合はステップＳ３０１において待機する。
【００４２】
次に、ステップＳ３０２において、被写体が撮影された時点の撮影日及び撮影時刻の情報を時計６より取得し記憶する。ステップＳ３０２の処理が完了するとステップＳ３０３に進む。
次に、ステップＳ３０３において、画像ファイルにつけるファイル名称を決定するための表示画面を液晶ディスプレイ５上に表示させる。表示は第１実施形態の場合と同様であるため説明を省略する。ステップＳ３０３の処理が完了するとステップＳ３０４に進む。
【００４３】
次に、ステップＳ３０４において、ファイル名称が設定されたかどうかを判別する。ファイル名が設定された場合は、ステップＳ３０５に進む。ファイル名が設定されていない場合は、ステップＳ３０４において待機する。
次に、ステップＳ３０５において、メモリ４の内容を検査することにより、設定されたファイル名称と同一のファイル名称で、過去に撮影された画像ファイルが存在するかどうかを判別する。判別の結果、同一ファイル名称の画像ファイルが存在する場合はステップＳ３１０に進む。同一ファイル名称の画像ファイルが存在しない場合はステップＳ３２０に進む。
【００４４】
ステップＳ３０５において同一ファイル名称の画像ファイルが存在した場合は、ステップＳ３１０に進む。ステップＳ３１０は、同一ファイル名称で過去に撮影された画像ファイルにおいて設定されている基点の日時から、ステップＳ３０２において記憶した今回の撮影時の撮影日時までの経過時間を算出する。ステップＳ３１０の処理が完了するとステップＳ３１１に進む。
【００４５】
次に、ステップＳ３１１において、ステップＳ３１０で算出した経過時間を過去に撮影された画像ファイルにおいて設定されている時間単位で換算する。ステップＳ３１１の処理が完了するとステップＳ３３０に進む。
また、ステップＳ３０５において同一ファイル名称の画像ファイルが存在しなかった場合は、ステップＳ３２０に進む。ステップＳ３２０は、経過時間算出の基点となる基点日時の入力画面を液晶ディスプレイ５上に表示させる。ステップＳ３２０の処理が完了するとステップＳ３２１に進む。
【００４６】
次に、ステップＳ３２１において、基点日時設定手段１２に対する入力の有無を検出し、基点日時が入力されたかを判別する。基点日時が入力された場合はステップＳ３２２に進む。基点日時が入力されていない場合はステップＳ３２１において待機する。
次に、ステップＳ３２２において、撮影時の日時情報を換算するための時間単位の選択画面を液晶ディスプレイ５上に表示させる。表示は第１実施形態の場合と同様であるため説明を省略する。ステップＳ３２２の処理が完了するとステップＳ３２３に進む。
【００４７】
次に、ステップＳ３２３において、時間単位が設定されたかどうかを判別する。時間単位が設定された場合は、ステップＳ３２４に進む。時間単位が設定されていない場合は、ステップＳ３２３において待機する。
次に、ステップＳ３２４において、ステップＳ３２１において設定された基点の日時から、ステップＳ３０２において記憶した今回の撮影時の撮影日時までの経過時間を算出する。ステップＳ３２４の処理が完了するとステップＳ３２５に進む。
【００４８】
次に、ステップＳ３２５において、ステップＳ３２４で算出した経過時間をステップＳ３２３において設定された時間単位で換算する。ステップＳ３２５の処理が完了するとステップＳ３３０に進む。
次に、ステップＳ３３０において、ステップＳ３０４で設定したファイル名称と、ステップＳ３１１及びステップＳ３２５で設定された時間単位及び、整理番号と拡張子とを組合せて画像ファイルのファイル名を作成する。ステップＳ３３０の処理が完了するとステップＳ３３１に進む。
【００４９】
次に、ステップＳ３３１において、メモリ４の内容を検査することによりステップＳ３３０で作成したファイル名と同一のファイル名が存在するかを判別する。判別の結果、同一ファイル名が存在する場合はステップＳ３３５に進む。同一ファイル名が存在しない場合はステップＳ３４０に進む。
ステップＳ３３１において同一ファイル名が存在した場合はステップＳ３３５に進む。ステップＳ３３５は、作成したファイル名の整理番号を増加させる。ステップＳ３３５の処理が完了するとステップＳ３３６に進む。
【００５０】
ステップＳ３３６は、整理番号を増加させたファイル名に対して再度同一ファイル名が存在するかを判別する。同一ファイル名が存在する場合はステップＳ３３５に進み整理番号を増加させる処理を繰り返す。同一ファイル名が存在しない場合はステップＳ３４０に進む。
ステップＳ３４０は、撮影した被写体の画像信号を作成したファイル名でメモリ４に記録する。ステップＳ３４０の処理が完了すると終了に進み、一連の処理を終了する。
【００５１】
これにより、経過時間算出の基点となる日時情報を使用者が任意に設定できるため、撮影日時にとらわれること無く任意の日時からの経過時間をファイル名に反映させることが可能となる。
尚、第３実施形態における基点日時設定手段１２は、本発明の請求項における基点日時設定手段に対応する。
【００５２】
【発明の効果】
以上説明したように、請求項１及び請求項２に記載の発明の効果は、電子カメラが、基点日時から撮影日時までの経過時間を算出する算出手段と、画像信号を記録手段に記録する際のファイル名を経過時間に基づいて設定するファイル名設定手段と、経過時間を任意の時間単位に換算する換算手段を有し、ファイル名設定手段は、換算手段によって換算された経過時間に基づいてファイル名を設定している。そのため、画像信号には基点日時からの経過時間を考慮したファイル名が付けられるので、個々の画像信号のファイル名による特定をより容易に行うことが可能となる。
【００５３】
また、請求項３及び請求項７に記載の発明の効果は、電子カメラが、基点日時及び撮影日時及び名称を記録するファイル名記録手段を有することで、記録手段内に過去の画像信号が存在しない場合でも、ファイル名及び基点日時及び撮影日時は初期化されることなく、継続して名称及び時間単位が考慮されたファイル名の作成を行うことが可能になる。
【００５４】
また、請求項４から請求項６に記載の発明の効果は、電子カメラが画像信号の名称を入力する入力手段を更に有し、基点日時設定手段は、名称が同一の画像信号の撮影日時を基点日時として設定し、ファイル名設定手段は、名称と経過時間とに基づいてファイル名を設定するため、作成されるファイル名は画像信号の名称の情報と基点日時からの経過時間の情報とを含んだものとなる。そのため、個々の画像信号のファイル名に基づく特定をより容易に行うことが可能となる。
【００５５】
また、請求項８に記載の発明の効果は、基点日時が変更可能であり、算出手段は、基点日時が変更されると、変更された基点日時に基づいて経過時間を再演算し、ファイル名設定手段は、再演算された経過時間に基づいて記録手段に記録された画像信号のファイル名を変更するため、基点日時を途中で変更した場合でも、変更に対応したファイル名となるため、個々の画像信号のファイル名による特定をより容易に行うことが可能となる。
【００５６】
また、請求項９に記載の発明の効果は、基点日時設定手段が任意の日時を基点日時として設定可能とすることで、基点日時の設定を画像信号の撮影日時にとらわれることなく任意の日時からの経過時間をファイル名に反映させることが可能となる。
【図面の簡単な説明】
【図１】  図１は第１実施形態における電子カメラの構成を示すブロック図である。
【図２】  図２は第１実施形態の電子カメラを背面から見た外観図である。
【図３】  図３は第１実施形態における電子カメラの制御手順を示すフローチャート図である。
【図４】  図４は第１実施形態の電子カメラの表示手段におけるファイル名称選択の表示例を示す説明図である。
【図５】  図５は第１実施形態の電子カメラの表示手段における時間単位選択の表示例を示す説明図である。
【図６】  図６は第１実施形態の電子カメラにおいて作成されるファイル名の一例を示す図である。
【図７】  図７は第１実施形態の電子カメラにおいて複数枚の撮影を行った場合のファイル名作成例を示す図であり、時間単位を日単位に設定した場合の作成例である。
【図８】  図８は第２実施形態における電子カメラの構成を示すブロック図である。
【図９】  図９は第３実施形態における電子カメラの構成を示すブロック図である。
【図１０】  図１０は第３実施形態における電子カメラの制御手順を示すフローチャート図である。
【符号の説明】
１：撮像光学系
２：ＣＣＤ
３：画像処理回路
４：メモリ
５：液晶ディスプレイ
６：時計
７：入力手段
８：ＣＰＵ
９：レリーズボタン
１０：ファイル名記憶メモリ
１１：カメラ本体
１２：基点日時設定手段
１００，２００，３００：電子カメラ
【図１】
0004051493.tif 000002
【図２】
0004051493.tif 000003
【図３】
0004051493.tif 000004
【図４】
0004051493.tif 000005
【図５】
0004051493.tif 000006
【図６】
0004051493.tif 000007
【図７】
0004051493.tif 000008
【図８】
0004051493.tif 000009
【図９】
0004051493.tif 000010
【図１０】
0004051493.tif 000011